(57)【要約】      （修正有）【課題】必要なときに本人の意思を確認することができ、さらに、リビングウィルについて話しやすい環境をつくることができる情報記録機能付きカレンダーを提供する。【解決手段】表面に少なくとも暦欄が設けられたカレンダー用紙２と、情報を記録する情報記録部Ｂが設けられた情報記録用紙３と、を備え、カレンダー用紙２は情報記録用紙３の前面に配置されており、情報記録用紙３には、情報記録部Ｂを覆い隠すカバー用紙４が設けられていることを特徴とする。【選択図】図３
0003195916.tif 000002
【実用新案登録請求の範囲】
【請求項１】
表面に少なくとも暦欄が設けられたカレンダー用紙と、
情報を記録する情報記録部が設けられた情報記録用紙と、を備え、
前記カレンダー用紙は、前記情報記録用紙の前面に配置されており、
前記情報記録用紙には、前記情報記録部を覆い隠すカバー用紙が設けられていることを特徴とする、請求項１に記載の情報記録機能付きカレンダー。
【請求項２】
前記カバー用紙は、前記情報記録用紙の一辺に取付けられ、
前記カバー用紙の表面には、前記情報の内容を表示する表示部が設けられ、
前記カバー用紙の裏面には、前記情報記録部が設けられていることを特徴とする、請求項１に記載の情報記録機能付きカレンダー。
【請求項３】
前記情報記録用紙は、前記カレンダー用紙よりも大型に形成され、
前記カレンダー用紙から張り出して露呈される前記情報記録用紙と前記カバー用紙の少なくとも何れか一方の露呈部には、前記表示部が設けられていることを特徴とする、請求項１又は請求項２に記載の情報記録機能付きカレンダー。
【請求項４】
前記情報記録用紙と前記カバー用紙とを固定する固定手段が設けられていることを特徴とする、請求項１〜３の何れかに記載の情報記録機能付きカレンダー。
【請求項５】
前記情報記録部には、カレンダー使用者の意思を表明する終末医療情報が記載されていることを特徴とする、請求項１〜４に記載の情報記録機能付きカレンダー。
【考案の詳細な説明】
【技術分野】
【０００１】
本考案は、情報を記録する機能を有したカレンダーに関し、特に、リビングウィル等の個人情報を記録する情報記録機能付きカレンダーに関する。
【背景技術】
【０００２】
現在、治療を受ける当事者（本人）が自分らしく生きるために、本人が万が一の状態（例えば、植物人間の状態）になった場合に、どのような治療を受け入れながら生きたいかを事前に家族に対して意思表示を行う、リビングウィルという考え方が広まりつつある。
【０００３】
このリビングウィルは、医師等の第三者が客観的に判断することができるよう、書面等に残しておくことが望ましい。そのため、従来から、エンディングノート（高齢者が人生の終末期に迎える死に備えて自身の希望を書き留めておくノート）や記入式遺言書（特許文献１参照）等に本人の意思を書き込んでおく方法が提案されている。
【先行技術文献】
【特許文献】
【０００４】
【特許文献１】実用新案登録第３０５９５３３号公報
【考案の概要】
【考案が解決しようとする課題】
【０００５】
ところで、このリビングウィルを治療時に反映させるためには、本人が万が一の状態となる前に、上記のエンディングノートや記入式遺言書に記入しておくことや、本人と家族間でリビングウィルについての話し合いを行って事前に本人の意思を確認しておくことが必要である。
【０００６】
しかしながら、現在においては、「死」自体が隠すもの・不謹慎であるという認識が根強く残っているため、書面等への記入や、リビングウィルについての話し合いは、未だ世間に浸透していないという問題がある。
【０００７】
そこで、本願考案者は、日常的に目にするカレンダーにリビングウィル機能を設けることで、家族等が本人の意思を確認することができる環境がつくられるという考えに至った。
すなわち、このリビングウィル機能を有したカレンダーを使用することで、本人に万が一のことがあった時に家族等に確認してもらいたいことがあることをわかるようにし、「死」についての話題をオープンにすることができると考えた。
【０００８】
本考案は、上記実情に鑑みてなされた考案であり、必要なときに本人の意思を確認することができ、さらに、リビングウィルについて話しやすい環境をつくることができるカレンダーを提供することを課題とする。
【課題を解決するための手段】
【０００９】
上記課題を解決するため、本考案における情報記録機能付きカレンダーは、表面に少なくとも暦欄が設けられたカレンダー用紙と、情報を記録する情報記録部が設けられた情報記録用紙と、を備え、前記カレンダー用紙は前記情報記録用紙の前面に配置されており、前記情報記録用紙には、前記情報記録部を覆い隠すカバー用紙が設けられていることを特徴とする。
【００１０】
このように、情報記録用紙にカバー用紙を設けることで、カレンダー用紙をめくっただけでは、情報を視認できないようにすることができる。これにより、情報記録部に書かれた情報は、不用意に第三者に開示されることなく、家族等が必要だと判断した時に確認することができる。
【００１１】
本考案の好ましい形態では、前記カバー用紙は、前記情報記録用紙の一辺に取付けられ、前記カバー用紙の表面には、前記情報の内容を表示する表示部が設けられ、前記カバー用紙の裏面には、前記情報記録部が設けられていることを特徴とする。
このように、カバー用紙の表面に表示部を設けることで、情報記録部に書かれた内容の概要を表示することができる。これにより、カバー用紙を拡げて情報を知る前に、この情報を見るべきかどうかの判断をする機会を設けることができる。
【００１２】
本考案の好ましい形態では、前記情報記録用紙は、前記カレンダー用紙よりも大型に形成され、前記カレンダー用紙から張り出して露呈される前記情報記録用紙と前記カバー用紙の少なくとも何れか一方の露呈部には、前記表示部が設けられていることを特徴とする。
このように、通常にカレンダーを使用する状態において、露呈される領域に表示部が設けられていることにより、該カレンダーの情報記録部にどのような情報が書かれているかを周囲の人々に知らせることができる。また、これによって、このカレンダーの使用者がどのような考えを持っているかを暗に主張することができる。
【００１３】
本考案の好ましい形態では、前記情報記録用紙と前記カバー用紙とを固定する固定手段が設けられていることを特徴とする。
このように、情報記録用紙に固定手段を設けることで、不用意に情報が開示されてしまうことを抑制することができる。
【考案の効果】
【００１４】
本考案によれば、必要なときに本人の意思を確認することができ、リビングウィルについて話しやすい環境をつくることができるカレンダーを提供することができる。
【図面の簡単な説明】
【００１５】
【図１】本考案の実施形態１に係るカレンダーを示す斜視図である。
【図２】本考案の実施形態１に係るカレンダーのカレンダー用紙を捲った状態を示す斜視図である。
【図３】本考案の実施形態１に係るカレンダーのカバー用紙を捲った状態を示す斜視図である。
【図４】本考案の実施形態２に係るカレンダーを示すもので、（ａ）はカレンダー用紙を捲った状態を示す正面図、（ｂ）はカバー用紙を捲った状態を示す正面図である。
【考案を実施するための形態】
【００１６】
以下、本考案の実施形態１について図１ないし図３を参照して詳しく説明する。
＜実施形態１＞
図１〜図３は、本考案に係る情報記録機能付きカレンダー１の斜視図を示すものである。これらの図において符号１で示す情報記録機能付きカレンダー１は、カレンダー用紙２と、情報記録用紙３と、カバー用紙４と、を備えている。
【００１７】
カレンダー用紙２は、少なくとも暦欄Ａが表面に印刷されており、１月から１２月までの１年分の暦が印刷されている。この暦欄Ａは、図１に示すように、１ヶ月分の暦を複数枚にわたって印刷しても良く、あるいは、一枚の用紙に１２ヵ月分の暦を印刷するようにしても良い。
また、カレンダー用紙２が複数枚にわたる場合には、図１に示すように、一束に纏められることが望ましく、上辺同士を糊付けして接着させることによって纏めても良いし、慣用に用いられる留め具等の手段によって一束に纏めても良い。
【００１８】
情報記録用紙３は、カレンダー用紙２よりも縦長に形成されており、表面には情報記録部Ｂが設けられている。この情報記録部Ｂには、図３に示すように、使用者のリビングウィルに関わる質問事項が印刷されており、カレンダー１の使用者は質問に回答しながら、自然にリビングウィルに必要な情報を書き込むことができる。この情報としては、リビングウィルに限られず、臓器提供の意思表示、連絡を希望する人のリスト、本人がネットで使っているアカウントの処理についての意思表示、家族等に対するメッセージのような、もしもの時の他の意思表示に使っても良いし、体重の記録、ＴＯＤＯリストなど、外部に認識して欲しいが詳細は見られないようにしたい情報の管理についても幅広く活用することができる。
【００１９】
カバー用紙４は、少なくとも情報記録部Ｂの一部を覆い隠すことのできる大きさに形成されており、情報記録用紙３の下辺に設けられている。このカバー用紙４の表面には、表示部Ｃが設けられており、情報記録部Ｂに書きこまれた情報の内容を表示することができる。
また、カバー用紙４の裏面には、情報記録部Ｂが設けられており、より多くの情報を書き込めるよう構成されている。
【００２０】
ついで、このように構成された情報記録機能付きカレンダー１の使用状態について説明する。
【００２１】
図１は、本考案に係る情報記録機能付きカレンダー１の斜視図であり、部屋等に設置されているような通常状態を示している。この通常状態では、カレンダー用紙２の暦欄Ａと、カバー用紙４の表面に印刷された表示部Ｃの一部と、を視認することができる。
このとき、カバー用紙４は、前面にあるカレンダー用紙２の重みによっておさえられており、カバー用紙４が自然にめくれてしまわないよう構成されている。
【００２２】
図２は、図１の通常状態から、カレンダー用紙２をめくり返した状態を示しており、めくり返した部分には、カバー用紙４に印刷された表示部Ｃを確認することができるよう構成されている。
【００２３】
図３は、図２の状態から、カバー用紙４をめくり返した状態を示しており、めくり返した部分には、情報記録用紙３の表面とカバー用紙４の裏面に書き込まれた情報記録部Ｂを確認することができるよう構成されている。
【００２４】
本考案によれば、情報記録部Ｂがカバー用紙４に覆い隠されていることにより、カレンダー用紙２をめくっただけでは、情報が視認されないように構成されている。これによって、不用意に情報が知られてしまうことを抑制しつつ、重要な情報が記載されていることを強調することができる。
【００２５】
また、本考案によれば、カバー用紙４の表面に表示部Ｃが設けられていることによって、情報記録部Ｂに記載された情報を読む前に、何についての情報が書かれているかを詳細に知ることができる。これによって、内部の情報を本当に知るべきかどうかの判断をする機会を設けることができる。
【００２６】
また、本考案によれば、通常状態であっても表示部Ｃの一部が露出されているため、該カレンダー１の内部にどのような情報が書かれているかを、周囲の人々に知らせることができる。そのため、リビングウィル等の重要な情報を記載している場合には、家族等の周囲の人は常日頃から記載されている内容を把握することができ、特に、本人に万が一のことがあった場合には、即座に本人の意思を確認することができる。
【００２７】
また、本考案によれば、該カレンダー１を設置することで、本人に万が一のことがあった時に、家族等に確認してもらいたいことがあることをわかるようにし、「死」についての話題をオープンにすることができる。すなわち、該カレンダー１を家族の見えるところに掲示することで、リビングウィルについて家族間で話し合うきっかけをつくることができる。
【００２８】
＜実施形態２＞
図４は本考案の実施形態２に係る情報記録機能付きカレンダー１を拡げた状態の正面図である。この実施形態２においては、情報記録用紙３に、カバー用紙４を固定するためのストッパー５を設けたことを特徴とする。なお、同実施形態において、先の実施形態と基本的に同一の構成要素においては、同一符号を付してその説明を簡略化する。
【００２９】
ストッパー５は、図４に示すように、情報記録用紙３に円弧状の切れ込みを設けることで形成され、この切れ込みに差し込むようにしてカバー用紙４を固定することができる。
【００３０】
また、このようなストッパー５は、カバー用紙４を情報記録用紙３に固定する手段の一例であり、円弧状の切れ込みとは異なる機構のストッパー５を設けても良いし、またはシール等で固定するようにしてもよい。
【００３１】
本実施形態によれば、ストッパー５によってカバー用紙４が容易に開いてしまうことを防ぐことができ、第三者等に対する不用意な情報開示を抑制することができる。
【符号の説明】
【００３２】
１      情報機能付きカレンダー
２      カレンダー用紙
３      情報記録用紙
４      カバー用紙
５      ストッパー
Ａ      暦欄
Ｂ      情報記録部
Ｃ      表示部
【図１】
0003195916.tif 000003
【図２】
0003195916.tif 000004
【図３】
0003195916.tif 000005
【図４】
0003195916.tif 000006